(57)【要約】      （修正有）【課題】簡素な構成で容器本体の内部に発生する死水域を低減でき、乱流を発生させてセラミック体同士を確実に衝突させることができ、摩擦電気，マイナスイオン，遠赤外線等の作用により内部に通水された水を効率的に活性化することができる量産性及び活性化の効率性に優れた活水器の提供。【解決手段】容器本体２の底部２ａに形成された給水部４と、容器本体の頂部に形成された排水部７と、を有し、給水部が、容器本体の内部に突出した筒状部５と、筒状部の先端部を閉塞する蓋部５ａ、８ａと、筒状部の周壁に穿設された複数の孔部５ｂ、８ｂと、筒状部の周壁外周に覆設されたメッシュフィルタ６，９と、を備えている。【選択図】図１
0003131843.tif 000002
【実用新案登録請求の範囲】
【請求項１】
中空状の容器本体の内部にセラミック体が収容された活水器であって、前記容器本体の底部に形成された給水部と、前記容器本体の頂部に形成された排水部と、を有し、前記給水部が、前記容器本体の内部に突出した筒状部と、前記筒状部の先端部を閉塞する蓋部と、前記筒状部の周壁に穿設された複数の孔部と、前記筒状部の周壁外周に覆設されたメッシュフィルタと、を備えたことを特徴とする活水器。
【請求項２】
前記排水部が、前記容器本体の内部に突出した筒状部と、前記筒状部の先端部を閉塞する蓋部と、前記筒状部の周壁に穿設された複数の孔部と、前記筒状部の周壁外周に覆設されたメッシュフィルタと、を備えていることを特徴とする請求項１に記載の活水器。
【請求項３】
前記セラミック体の充填率が、前記容器本体の内容積の５０％〜８０％であることを特徴とする請求項１又は２に記載の活水器。
【請求項４】
請求項１乃至３の内いずれか１項に記載の活水器と、一端部が前記活水器の給水部に接続された流入側接続管と、一の接続口で前記流入側接続管の他端部に接続され前記活水器に水道水を供給する流入側配管に接続される供給口と他の接続口を有する流入側三方コックと、一端部が前記活水器の排水部に接続された流出側接続管と、一の接続口で前記流出側接続管の他端部に接続され前記活水器で活性化された水を排出する流出側配管に接続される排出口と他の接続口を有する流出側三方コックと、前記流入側三方コックの他の接続口と前記流出側三方コックの他の接続口を接続するバイパス管と、を備えたことを特徴とする活水装置。
【考案の詳細な説明】
【技術分野】
【０００１】
本考案は、水を活性化させ、配管の赤サビを除去、防止する活水器及びそれを備えた活水装置に関するものである。
【背景技術】
【０００２】
活性化された水は、配管の赤サビを除去、防止できる以外に、洗濯水やトイレの洗浄水などとして使用することにより洗浄力を向上させたり、植物の栽培などに利用することにより成長を促進させたりすることができるという機能を有する。また、活性化された水を飲料水とした場合には、細胞の活性化、新陳代謝の改善を図ることができ、人体の健康に有益であると言われている。このような活性水を得る方法としては、水に遠赤外線を放射する方法や、活性化物質に水を接触させる方法などがあり、水分子をイオン化して励起させるものである。
水を活性化するための装置として、例えば（特許文献１）には、「水道から水を取り入れて、活水器の容器本体の底部に水を導入する導入パイプと、容器本体に導入された水を渦流とするスパイラル・ブレードと、底部から上昇する水を活水化するセラミックスと、活水化した水を容器本体の外部に取り出す導出パイプとを備えていることを特徴とする活水器。」が開示されている。
また、（特許文献２）には、「金属酸化物を含有し、適正粒径、適正焼成成形等の条件を持ったセラミック球体を飽和充填した活水器なる装置内に処理原水を加圧通液させる水処理装置。」が開示されている。
【特許文献１】特開２００６−１８１５１８号公報
【特許文献２】特開２００５−１７９１６２号公報
【考案の開示】
【考案が解決しようとする課題】
【０００３】
しかしながら上記従来の技術は、以下のような課題を有していた。
（１）（特許文献１）では、セラミックスをスパイラル・ブレードの羽に沿って上昇させることにより、内部の水に渦流を発生させ、水をセラミックスに接触させて活水化の効率を向上させようとするものであるが、構成が複雑で量産性に欠けるという課題を有していた。また、容器本体の内部の上から下までセラミックス同士が密着した状態で充填されているため、水はその隙間を通過するだけで、セラミックスがほとんど移動することができず、セラミックス同士或いは容器本体とセラミックスとの衝突が発生しないので、電荷が生じ難く、活性化の効率性に欠けるという課題を有していた。
（２）（特許文献２）も、活水器の内部にセラミック球体を飽和充填し、処理原水を加圧通液させるため、（特許文献１）と同様に、摩擦電気が発生し難く、活性化の効率性に欠けるという課題を有していた。
（３）（特許文献１）、（特許文献２）のいずれも、水道管に対する取り付け方法については検討されておらず、活水器本体或いは内部のセラミックスの交換などのメンテナンスを行う際には、活水器を水道管から取り外す前に、上流側の元栓を閉止する必要があり、作業性に欠けると共に、作業中は水道を使用することができなくなり、取り扱い性に欠けるという課題を有していた。
【０００４】
本考案は上記従来の課題を解決するもので、簡素な構成で容器本体の内部に発生する死水域を低減でき、乱流を発生させてセラミック体同士を確実に衝突させることができ、摩擦電気，マイナスイオン，遠赤外線等の作用により内部に通水された水を効率的に活性化することができる量産性及び活性化の効率性に優れた活水器の提供、及び活水器の清掃や交換などの作業を行う際に、水道管から供給される水を容易にバイパスすることができ、作業中に水道の使用を中止する必要がなく、施工性、メンテナンス性、取り扱い性に優れた活水装置の提供を目的とする。
【課題を解決するための手段】
【０００５】
上記従来の課題を解決するために本考案の活水器及びそれを備えた活水装置は、以下の構成を有している。
本考案の請求項１に記載の活水器は、中空状の容器本体の内部にセラミック体が収容された活水器であって、前記容器本体の底部に形成された給水部と、前記容器本体の頂部に形成された排水部と、を有し、前記給水部が、前記容器本体の内部に突出した筒状部と、前記筒状部の先端部を閉塞する蓋部と、前記筒状部の周壁に穿設された複数の孔部と、前記筒状部の周壁外周に覆設されたメッシュフィルタと、を備えた構成を有している。
この構成により、以下のような作用が得られる。
（１）容器本体の底部に給水部を形成し、容器本体の頂部に排水部を形成することにより、水を一方向に流すことができるので、容器本体の内部に複雑な流路などを形成する必要がなく、構造を簡素化して、容器本体の小型化、軽量化を図ることができ、取り扱い性に優れる。
（２）給水部の筒状部を容器本体の内部に突出させ、筒状部の先端部を蓋部で閉塞して、筒状部の周壁に穿設した複数の孔部から容器本体の内部に水を供給するようになっているので、筒状部の外周から容器本体の底部周辺に満遍なく水を供給することができ、筒状部の周辺に充填されたセラミック体に確実に水を接触させてショートパスを防ぐことができ、容器本体の隅部に発生する死水域を大幅に低減することができ、活性化の効率性に優れる。
（３）給水部の筒状部の周壁外周にメッシュフィルタを覆設することにより、給水部から容器本体に異物などが侵入することを確実に防止することができ、セラミック体を保護できると共に、衛生的で信頼性に優れる。
【０００６】
ここで、容器本体の材質としては、鉄やステンレス等が好適に用いられる。また、容器本体は、中空状であればよく、外形形状は任意の形状を選択することができるが、セラミック体の充填性、水の通水性、生産性、取り扱い性などの面から、略円筒形状のものが好適に用いられる。
セラミック体の材質としては、ナトリウム、マグネシウム、アルミニウム、ケイ素、カリウム、カルシウム、チタン、マンガン、鉄、ニッケル、亜鉛、ルビジウム、ストロンチウム、ジルコニウム、ニオブ、バリウム、ランタン、白金、金等の金属の酸化物をいずれか１以上、含有する物が好適に用いられる。また、セラミック体の形状としては、球状のものが好適に用いられ、その直径としては、１０ｍｍ〜１５ｍｍが好ましい。
【０００７】
セラミック体の焼成温度としては、１２００〜１４００℃が好ましい。このような高温で焼成することにより、セラミック体が多孔質とならず、摩耗が発生し難く、長寿命性に優れるためである。また、セラミック体の見掛比重としては、１．３〜１．５が好ましい。見掛比重を適度に小さくすることにより、給水部から供給される水の流れによって運動し易く、セラミック体同士を衝突させ易くできるためである。
メッシュフィルタとしては、平織りや平畳織りの金網が好適に用いられる。尚、メッシュフィルタのメッシュサイズとしては、２０メッシュ〜７０メッシュが好ましい。メッシュサイズが２０メッシュより小さくなるにつれ、開き目が大きくなり、異物などが通過し易くなる傾向があり、７０メッシュより大きくなるにつれ、目詰まりが発生し易くなると共に、抵抗が大きくなって水の流入量が不足し易くなる傾向があり、いずれも好ましくない。
【０００８】
排水部は、活性化された水を容器本体の外部へ排水することができればよく、排水孔のみを形成してもよいし、給水部と同様の構成としてもよい。尚、排水部に給水部と同様の筒状部を設ける場合には、先端部を完全に閉塞する必要はなく、蓋部に周壁と同様の孔部を穿設したり、メッシュフィルタを覆設したりすることができる。
活水器は屋内及び屋外のいずれにも取り付けることができるが、屋外に取り付ける場合には、風雨などから保護するために、ケースに収容することが好ましい。
【０００９】
請求項２に記載の考案は、請求項１に記載の活水器であって、前記排水部が、前記容器本体の内部に突出した筒状部と、前記筒状部の先端部を閉塞する蓋部と、前記筒状部の周壁に穿設された複数の孔部と、前記筒状部の周壁外周に覆設されたメッシュフィルタと、を備えた構成を有している。
この構成により、請求項１で得られる作用に加え、以下のような作用が得られる。
（１）排水部を給水部と同様の構成とすることにより、部品を共通化することができ、部品点数を低減して、量産性を向上させることができる。
（２）排水部を給水部と同様の構成とすることにより、上下を逆さまに取り付けることができるので、容器本体の向きを気にする必要がなく、取付時の施工性に優れる。
（３）給水部にセラミック体が衝突すること等により、メッシュフィルタに破損などが生じた場合、容器本体を上下逆さまに取り付けることにより、ダメージを受けていない排水部を給水部として使用することができ、長寿命性に優れる。
【００１０】
ここで、容器本体の形状も上下対称に形成した場合、容器本体を上下逆さまに取り付けても、内部の水の流れに影響がなく、淀み等が発生せず、活性化性能を低下させることがないので、信頼性、取り扱い性に優れる。
【００１１】
請求項３に記載の考案は、請求項１又は２に記載の活水器であって、前記セラミック体の充填率が、前記容器本体の内容積の５０％〜８０％である構成を有している。
この構成により、請求項１又は２で得られる作用に加え、以下のような作用が得られる。
（１）セラミック体の充填率を容器本体の内容積の５０％〜８０％とすることにより、内部の水の流れに伴って、セラミック体が踊るように運動し、セラミック体同士が衝突し易くなり、摩擦電気を効率的に発生させることができ、活性化の効率性に優れる。
【００１２】
ここで、セラミック体の充填率が容器本体の内容積の５０％より低くなるにつれ、マイナスイオンや遠赤外線の発生量が不十分になると共に、セラミック体同士の衝突回数が減少して摩擦電気の発生量も低減し、活性化性能が低下し易くなる傾向があり、８０％より高くなるにつれ、セラミック体同士が詰まって運動し難くなり、セラミック体同士の衝突によって発生する摩擦電気の量が不十分となり、十分な活性化性能が得られ難くなる傾向があり、いずれも好ましくない。
【００１３】
本考案の請求項４に記載の活水装置は、請求項１乃至３の内いずれか１項に記載の活水器と、一端部が前記活水器の給水部に接続された流入側接続管と、一の接続口で前記流入側接続管の他端部に接続され前記活水器に水道水を供給する流入側配管に接続される供給口と他の接続口を有する流入側三方コックと、一端部が前記活水器の排水部に接続された流出側接続管と、一の接続口で前記流出側接続管の他端部に接続され前記活水器で活性化された水を排出する流出側配管に接続される排出口と他の接続口を有する流出側三方コックと、前記流入側三方コックの他の接続口と前記流出側三方コックの他の接続口を接続するバイパス管と、を備えた構成を有している。
この構成により、以下のような作用が得られる。
（１）流入側配管と流入側接続管，バイパス管との接続部及び流出側配管と流出側接続管，バイパス管との接続部に、それぞれ流入側三方コック及び流出側三方コックを配設することにより、流入側三方コック及び流出側三方コックを切り替えるだけで、流入側配管から供給される水をバイパス管を通して流出側配管から排水する経路と、流入側配管から供給される水を活水器を通して流出側配管から排水する経路のいずれかを簡便に選択することができ、取り扱い性に優れる。
（２）流入側配管と流出側配管をバイパスするバイパス管を有することにより、活水器の清掃や交換などの作業を行う際に、流入側配管から供給される水をバイパス管を通して流出側配管から排水することができるので、活水器のメンテナンスを簡便に行うことができ、施工性、メンテナンス性に優れると共に、作業中に水道の使用を中止する必要がなく、取り扱い性に優れる。
（３）給水部に接続された流入側接続管と活水器に水道水を供給する流入側配管との接続部に流入側三方コックを配設し、排水部に接続された流出側接続管と活水器で活性化された水を排出する流出側配管との接続部に流出側三方コックを配設すると共に、流入側三方コックと流出側三方コックとの間をバイパス管で接続することにより、別途、バイパスのための配管や配管を切り替えるためのバルブやコックなどを設ける必要がなく、配管を簡素化することができ、施工性、省スペース性に優れる。
（４）一端部が活水器の給水部に接続された流入側接続管及び一端部が活水器の排水部に接続された流出側接続管を有することにより、流入側接続管及び流出側接続管の他端側にそれぞれ流入側配管及び流出側配管を容易に接続することができ、水道管への取り付けを簡便に行うことができる。
【００１４】
ここで、活水装置をケースに収容した場合、各部が接続された状態で一体的に取り扱うことができ、搬送性及び設置作業性に優れる。尚、ケースには流入側配管に接続される供給口と流出側配管に接続される排出口に対応する位置に開口部を形成する。これにより、ケースの外から簡便に流入側配管及び流出側配管をそれぞれ流入側三方コックの供給口及び流出側三方コックの排出口に接続することができる。
尚、バイパス管にドレンを設けることにより、バイパス管の中に溜まった水を確実に排出することができ、バイパス管を長期間、使用しない場合でも、衛生的で信頼性に優れる。
【考案の効果】
【００１５】
以上のように、本考案の活水器及びそれを備えた活水装置によれば、以下のような有利な効果が得られる。
請求項１に記載の考案によれば、以下のような有利な効果が得られる。
（１）容器本体の内部に突出させた給水部の筒状部の先端部を蓋部で閉塞することにより、筒状部の周壁に穿設した複数の孔部から容器本体の底部に満遍なく水を供給することができ、筒状部の周辺に充填されたセラミック体に確実に水を接触させてショートパスを防ぐことができ、容器本体の隅部に発生する死水域を大幅に低減することができる活性化の効率性に優れた活水器を提供することができる。
（２）給水部の筒状部の周壁外周に覆設されたメッシュフィルタにより、容器本体への異物などの侵入を確実に防止することができ、セラミック体を保護できる衛生的で信頼性に優れた活水器を提供することができる。
【００１６】
請求項２に記載の考案によれば、請求項１に記載の効果に加えて以下のような有利な効果が得られる。
（１）排水部を給水部と同様の構成とすることにより、部品を共通化することができ、部品点数を低減して、量産性を向上させることができると共に、容器本体の向きを気にすることなく、簡便に水道管への取り付け作業を行うことができる施工性に優れた活水器を提供することができる。
（２）給水部のメッシュフィルタに破損などが生じた場合、容器本体を上下逆さまに取り付けることにより、給水部と同様の構成を有する排水部を給水部として使用することができる長寿命性に優れた活水器を提供することができる。
【００１７】
請求項３に記載の考案によれば、請求項１又は２に記載の効果に加えて以下のような有利な効果が得られる。
（１）容器本体の内容積の５０％〜８０％の充填率で充填されたセラミック体を、内部の水の流れによって、流動させることができ、セラミック体同士を確実に衝突させ、摩擦電気を効率的に発生させることができる活性化の効率性に優れた活水器を提供することができる。
【００１８】
請求項４に記載の考案によれば、以下のような有利な効果が得られる。
（１）流入側配管と流入側接続管，バイパス管との接続部及び流出側配管と流出側接続管，バイパス管との接続部に、それぞれ流入側三方コック及び流出側三方コックを配設することにより、流入側三方コック及び流出側三方コックを切り替えるだけで、流入側配管から供給される水をバイパス管を通して流出側配管から排水する経路と、流入側配管から供給される水を活水器を通して流出側配管から排水する経路のいずれかを簡便に選択することができる取り扱い性に優れた活水装置を提供することができる。
（２）流入側配管と流出側配管をバイパスするバイパス管を有することにより、活水器の清掃や交換などの作業を行う際に、流入側配管から供給される水をバイパス管を通して流出側配管から排水することができ、活水器のメンテナンスが簡便で、施工性、メンテナンス性に優れ、作業中に水道の使用を中止する必要がない取り扱い性に優れた活水装置を提供することができる。
【考案を実施するための最良の形態】
【００１９】
以下、本考案の実施の形態における活水器及びそれを備えた活水装置について、図面を参照しながら説明する。
（実施の形態１）
図１は実施の形態１における活水器の模式断面図である。
図１中、１は実施の形態１における活水器、２はステンレスで上下対称の中空円筒状に形成された活水器１の容器本体、２ａは容器本体２の底部、２ｂは容器本体２の頂部、３は球状に形成され容器本体２の内容積の５０％〜８０％の充填率で充填されたセラミック体、４は容器本体２の底部２ａに形成された活水器１の給水部、４ａは容器本体２と給水部４の間をシールするためのＯリングなどのパッキン、５は容器本体２の内部に突出した給水部４の筒状部、５ａは筒状部５の先端部を閉塞する給水部４の蓋部、５ｂは筒状部５の周壁に穿設された給水部４の複数の孔部、５ｃは給水部４を容器本体２の螺合部２ｃに取り付けるために筒状部５の外周に形設された給水部取付用雄ねじ部、５ｄはパッキン４ａを固定するための給水部４のフランジ部、５ｅは流入側接続管を接続するために筒状部５の下端外周に形設された給水部４の流入側接続用雄ねじ部、６は筒状部５の周壁外周に覆設された給水部４のメッシュフィルタ、７は容器本体２の頂部２ｂに形成された活水器１の排水部、７ａは容器本体２と排水部７の間をシールするためのＯリングなどのパッキン、８は容器本体２の内部に突出した排水部７の筒状部、８ａは筒状部８の先端部を閉塞する排水部７の蓋部、８ｂは筒状部８の周壁に穿設された排水部７の複数の孔部、８ｃは排水部７を容器本体２の螺合部２ｃに取り付けるために筒状部８の外周に形設された排水部取付用雄ねじ部、８ｄはパッキン７ａを固定するための排水部７のフランジ部、８ｅは流出側接続管を接続するために筒状部８の上端外周に形設された排水部７の流出側接続用雄ねじ部、９は筒状部８の周壁外周に覆設された排水部７のメッシュフィルタである。
【００２０】
本実施の形態では、セラミック体３の充填性、水の通水性、生産性、取り扱い性などの面から容器本体２を中空円筒状に形成したが、容器本体２は中空状であればよく、外形形状は任意の形状を選択することができる。尚、容器本体２の底部２ａ及び頂部２ｂにそれぞれ螺合部２ｃを形成することにより、給水部４及び排水部７を簡便に着脱することができ、生産性、メンテナンス性に優れる。
セラミック体３の材質としては、ナトリウム、マグネシウム、アルミニウム、ケイ素、カリウム、カルシウム、チタン、マンガン、鉄、ニッケル、亜鉛、ルビジウム、ストロンチウム、ジルコニウム、ニオブ、バリウム、ランタン、白金、金等の金属の酸化物をいずれか１以上、含有する物を用いた。また、セラミック体３の直径としては、１０ｍｍ〜１５ｍｍのものを用いた。
【００２１】
セラミック体３は、１２００〜１４００℃の焼成温度で焼成したものを用いた。このような高温で焼成することにより、セラミック体３が多孔質とならず、摩耗が発生し難く、長寿命性に優れるためである。また、セラミック体３の見掛比重としては、１．３〜１．５のものを用いた。見掛比重を適度に小さくすることにより、給水部４から供給される水の流れによって運動し易く、セラミック体３同士を衝突させ易くできるためである。
尚、セラミック体３の充填率は容器本体２の内容積の５０％〜８０％とした。セラミック体３の充填率が容器本体２の内容積の５０％より低くなるにつれ、マイナスイオンや遠赤外線の発生量が不十分になると共に、セラミック体３同士の衝突回数が減少して摩擦電気の発生量も低減し、活性化性能が低下し易くなる傾向があり、８０％より高くなるにつれ、セラミック体３同士が詰まって運動し難くなり、セラミック体３同士の衝突によって発生する摩擦電気の量が不十分となり、十分な活性化性能が得られ難くなる傾向があることがわかったためである。
【００２２】
給水部４のメッシュフィルタ６としては、平織りや平畳織りの金網を用いた。尚、メッシュフィルタ６のメッシュサイズとしては、２０メッシュ〜７０メッシュのものを用いた。メッシュサイズが２０メッシュより小さくなるにつれ、開き目が大きくなり、異物などが通過し易くなる傾向があり、７０メッシュより大きくなるにつれ、目詰まりが発生し易くなると共に、抵抗が大きくなって水の流入量が不足し易くなる傾向があることがわかったためである。
【００２３】
本実施の形態では、排水部７を給水部４と同様の構成にして活水器１全体を上下対称に形成したので、活水器１の取付時に容器本体２の向きを気にする必要がないだけでなく、給水部４のメッシュフィルタ６などが破損した際に、容器本体２を上下逆さまに取り付けるだけで、排水部７を給水部４として使用することができ、活水器１としての長寿命性に優れる。
尚、排水部７は活性化した水を容器本体２の外部へ排水することができればよいので、先端部を蓋部８ａで完全に閉塞する必要はなく、蓋部８ａに周壁と同様の孔部を穿設したり、蓋部８ａの代わりに筒状部８の先端部にメッシュフィルタを覆設したりしてもよい。
また、給水部４の筒状部５に穿設する孔部５ｂや排水部７の筒状部８に穿設する孔部８ｂは均一である必要はなく、根元側の孔径を大きくし、先端側の孔径を小さくするようにして水の流入量や流出量を調整してもよい。
【００２４】
以上のように構成された実施の形態１における活水器を備えた活水装置について説明する。
図２は実施の形態１における活水器を備えた活水装置の使用状態を示す模式正面図である。
図２中、１０は実施の形態１における活水器１を備えた活水装置、１１は一端部が活水器１の給水部４に接続された活水装置１０の流入側接続管、１１ａは給水部４の流入側接続用雄ねじ部５ｅ（図１参照）に螺合され流入側接続管１１を固定する流入側接続用雌ねじ部、１２は一の接続口１２ａで流入側接続管１１の他端部に接続され活水器１に水道水を供給する流入側配管２０ａに接続される供給口１２ｂと他の接続口１２ｃを有する活水装置１０の流入側三方コック、１３は接続口１２ａと接続口１２ｃの切り替えを行う流入側三方コック１２の操作部、１４は一端部が活水器１の排水部７に接続された活水装置１０の流出側接続管、１４ａは排水部７の流出側接続用雄ねじ部８ｅ（図１参照）に螺合され流出側接続管１４を固定する流出側接続用雌ねじ部、１５は一の接続口１５ａで流出側接続管１４の他端部に接続され活水器１で活性化された水を排出する流出側配管２０ｂに接続される排出口１５ｂと他の接続口１５ｃを有する活水装置１０の流出側三方コック、１６は接続口１５ａと接続口１５ｃの切り替えを行う流出側三方コック１５の操作部、１７は流入側三方コック１２の他の接続口１２ｃと流出側三方コック１５の他の接続口１５ｃを接続する活水装置１０のバイパス管、１８は活水装置１０を収容するケースである。
【００２５】
活水装置１０をケース１８に収容することにより、各部が接続された状態で活水装置１０を一体的に取り扱うことができ、搬送性及び設置作業性に優れる。また、活水装置１０を屋外に取り付ける場合に、風雨などから保護することができる。尚、ケース１８には流入側配管２０ａに接続される供給口１２ｂと流出側配管２０ｂに接続される排出口１５ｂに対応する位置に開口部を形成した。これにより、ケース１８の外から簡便に流入側配管２０ａ及び流出側配管２０ｂをそれぞれ流入側三方コック１２の供給口１２ｂ及び流出側三方コック１５の排出口１５ｂに接続することができ、活水装置１０の据え付け時の施工性に優れる。尚、活水装置１０を屋内に設置する場合には、ケース１８を不要とすることもできる。
【００２６】
以上のように構成された実施の形態１における活水器を備えた活水装置の使用方法について説明する。
まず、活水装置１０を使用する際には、図２に示すように、流入側三方コック１２の操作部１３を水平方向にし、流出側三方コック１５の操作部１６を垂直方向にする。これにより、流入側配管２０ａから供給口１２ｂに流入した水道水は、接続口１２ａから流入側接続管１１を通り、活水器１の給水部４に供給される。
給水部４に供給された水は、図１に示すように、筒状部５の周壁に穿設された複数の孔部５ｂからメッシュフィルタ６を通過し、容器本体２の内部に供給される。
水の流れに伴って、容器本体２の内部に充填されたセラミック体３が流動し、セラミック体３同士或いはセラミック体３と容器本体２が衝突し、摩擦電気が発生する。また、セラミック体３からは、マイナスイオンや遠赤外線が発生する。これらの摩擦電気、マイナスイオン、遠赤外線の作用により、水分子がイオン化して励起し、活性化される。
【００２７】
活水器１で活性化された水は、排水部７のメッシュフィルタ９を通過し、筒状部８の周壁に穿設された複数の孔部８ｂから筒状部８を通って、容器本体２の外部に排出される。
排水部７から流出側接続管１４に排出された水は、接続口１５ａを通り、排出口１５ｂから流出側配管２０ｂへ流出する。
流出側配管２０ｂは、台所、トイレ、風呂場などの屋内配管に接続されており、各所の蛇口を開くことにより、活性化された水を使用することができる。
【００２８】
次に、活水装置１０のメンテナンス方法について説明する。
図３は実施の形態１における活水器を備えた活水装置のバイパス状態を示す模式正面図である。
活水器１の清掃や交換などの作業を行う際には、図３に示すように、流入側三方コック１２の操作部１３を垂直方向にし、流出側三方コック１５の操作部１６を水平方向にする。これにより、流入側配管２０ａから供給口１２ｂに流入した水道水は、接続口１２ｃからバイパス管１７を通り、接続口１５ｃを通過して排出口１５ｂから流出側配管２０ｂに排出される。
【００２９】
流入側接続管１１、活水器１、流出側接続管１４には水が通過しない状態となるので、流入側接続用雌ねじ部１１ａ及び流出側接続用雌ねじ部１４ａを緩めて、簡便に容器本体２の取り外しを行うことができる。
容器本体２の清掃、セラミック体３の補充や交換、或いは容器本体２の交換を行った後は、逆の手順で容器本体２の給水部４及び排水部７をそれぞれ流入側接続管１１及び流出側接続管１４と接続する。
最後に、図２で示したように、流入側三方コック１２及び流出側三方コック１５の切換を行い、活水装置１０の使用を開始する。
尚、バイパス管１７にドレンを設けることにより、バイパス管１７の中に溜まった水を確実に排出することができ、バイパス管１７を長期間、使用しない場合でも、衛生的で信頼性に優れる。
【００３０】
以上のように実施の形態１における活水器は構成されているので、以下のような作用が得られる。
（１）容器本体２の底部２ａに給水部４を形成し、容器本体２の頂部２ｂに排水部７を形成することにより、水を一方向に流すことができるので、容器本体２の内部に複雑な流路などを形成する必要がなく、構造を簡素化して、容器本体２の小型化、軽量化を図ることができ、取り扱い性に優れる。
（２）給水部４の筒状部５を容器本体２の内部に突出させ、筒状部５の先端部を蓋部５ａで閉塞すると共に、筒状部５ａの周壁に複数の孔部５ｂを穿設することにより、筒状部５の外周から容器本体２の底部２ａに満遍なく水を供給することができるので、筒状部５の周辺に充填されたセラミック体３に確実に水を接触させてショートパスを防ぐことができ、容器本体２の隅部に発生する死水域を大幅に低減することができ、活性化の効率性に優れる。
（３）給水部４の筒状部５の周壁外周にメッシュフィルタ６を覆設することにより、給水部から容器本体に異物などが侵入することを確実に防止することができ、セラミック体を保護できると共に、衛生的で信頼性に優れる。
（４）排水部７を給水部４と同様の構成とすることにより、部品を共通化することができ、部品点数を低減して、量産性を向上させることができる。
（５）排水部７を給水部４と同様の構成とすることにより、上下を逆さまに取り付けることができるので、容器本体２の向きを気にする必要がなく、取付時の施工性に優れる。
（６）給水部４にセラミック体３が衝突すること等により、メッシュフィルタ６に破損などが生じた場合、容器本体２を上下逆さまに取り付けることにより、ダメージを受けていない排水部７を給水部４として使用することができ、長寿命性に優れる。
（７）セラミック体３の充填率を容器本体２の内容積の５０％〜８０％とすることにより、内部の水の流れに伴って、セラミック体３が踊るように運動し、セラミック体３同士が衝突し易くなり、摩擦電気を効率的に発生させることができ、活性化の効率性に優れる。
【００３１】
以上のように実施の形態１における活水器を備えた活水装置は構成されているので、以下のような作用が得られる。
（１）流入側配管２０ａと流入側接続管１１，バイパス管１７との接続部及び流出側配管２０ｂと流出側接続管１４，バイパス管１７との接続部に、それぞれ流入側三方コック１２及び流出側三方コック１５を配設することにより、流入側三方コック１２及び流出側三方コック１５を切り替えるだけで、流入側配管２０ａから供給される水をバイパス管１７を通して流出側配管２０ｂから排水する経路と、流入側配管２０ａから供給される水を活水器１を通して流出側配管２０ｂから排水する経路のいずれかを簡便に選択することができ、取り扱い性に優れる。
（２）流入側配管２０ａと流出側配管２０ｂをバイパスするバイパス管１７を有することにより、活水器１の清掃や交換などの作業を行う際に、流入側配管２０ａから供給される水をバイパス管１７を通して流出側配管２０ｂから排水することができるので、活水器１のメンテナンスを簡便に行うことができ、施工性、メンテナンス性に優れると共に、作業中に水道の使用を中止する必要がなく、取り扱い性に優れる。
（３）給水部４に接続された流入側接続管１１と活水器１に水道水を供給する流入側配管２０ａとの接続部に流入側三方コック１２を配設し、排水部７に接続された流出側接続管１４と活水器１で活性化された水を排出する流出側配管２０ｂとの接続部に流出側三方コック１５を配設すると共に、流入側三方コック１２と流出側三方コック１５との間をバイパス管１７で接続することにより、別途、バイパスのための配管や配管を切り替えるためのバルブやコックなどを設ける必要がなく、配管を簡素化することができ、施工性、省スペース性に優れる。
（４）一端部が活水器１の給水部４に接続された流入側接続管１１及び一端部が活水器１の排水部７に接続された流出側接続管１４を有することにより、流入側接続管１１及び流出側接続管１４の他端側にそれぞれ流入側配管２０ａ及び流出側配管２０ｂを容易に接続することができ、水道管への取り付けを簡便に行うことができる。
【産業上の利用可能性】
【００３２】
本考案は、簡素な構成で容器本体の内部に発生する死水域を低減でき、乱流を発生させてセラミック体同士を確実に衝突させることができ、摩擦電気，マイナスイオン，遠赤外線等の作用により内部に通水された水を効率的に活性化することができる量産性及び活性化の効率性に優れた活水器の提供、及び活水器の清掃や交換などの作業を行う際に、水道管から供給される水を容易にバイパスすることができ、作業中に水道の使用を中止する必要がなく、施工性、メンテナンス性、取り扱い性に優れた活水装置の提供を行うことができ、活水器及び活性装置の普及を図り、活性水の利用率を向上させることができる。
【図面の簡単な説明】
【００３３】
【図１】実施の形態１における活水器の模式断面図
【図２】実施の形態１における活水器を備えた活水装置の使用状態を示す模式正面図
【図３】実施の形態１における活水器を備えた活水装置のバイパス状態を示す模式正面図
【符号の説明】
【００３４】
１  活水器
２  容器本体
２ａ  底部
２ｂ  頂部
２ｃ  螺合部
３  セラミック体
４  給水部
４ａ，７ａ  パッキン
５，８  筒状部
５ａ，８ａ  蓋部
５ｂ，８ｂ  孔部
５ｃ  給水部取付用雄ねじ部
５ｄ，８ｄ  フランジ部
５ｅ  流入側接続用雄ねじ部
６，９  メッシュフィルタ
７  排水部
８ｃ  排水部取付用雄ねじ部
８ｅ  流出側接続用雄ねじ部
１０  活水装置
１１  流入側接続管
１１ａ  流入側接続用雌ねじ部
１２  流入側三方コック
１２ａ，１２ｃ，１５ａ，１５ｃ  接続口
１２ｂ  供給口
１３，１６  操作部
１４  流出側接続管
１４ａ  流出側接続用雌ねじ部
１５  流出側三方コック
１５ｂ  排出口
１７  バイパス管
１８  ケース
２０ａ  流入側配管
２０ｂ  流出側配管
【図１】
0003131843.tif 000003
【図２】
0003131843.tif 000004
【図３】
0003131843.tif 000005